【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
移動体通信システムにおいてデータを受信する方法であって，
制御チャネルを介して第１フィールド及び第２フィールドを受信するステップであって，前記第１フィールドはリソースブロックグループセットを示すために用いられ，前記第２フィールドはビットマップを含み，該ビットマップの各ビットは，前記リソースブロックグループセット内に対応するリソースブロックが割り当てられているかどうかを示すために用いられる，ステップと，
前記第１フィールド及び前記第２フィールドをリソース割当のために解釈するステップと，
前記制御チャネルに対応するデータを受信するステップと，
を有する方法。
【請求項２】
前記第１フィールドは，１又は複数のリソースブロックグループセットのうち一つを示すために用いられる，請求項１に記載の方法。
【請求項３】
前記リソースブロックグループセットは，１又は複数のリソースブロックグループを含む，請求項１に記載の方法。
【請求項４】
前記リソースブロックグループ又は各リソースブロックグループは，サブフレームに含まれるリソースブロックの総数に応じて，１又は複数の連続したリソースブロックを含む，請求項１に記載の方法。
【請求項５】
リソースブロックグループセットの数は，前記リソースブロックグループ又は各リソースブロックグループ内のリソースブロックの数と同一である，請求項１に記載の方法。
【請求項６】
リソースブロックグループセット内のリソースブロックの数は，リソースブロックグループの総数と同一である，請求項１に記載の方法。
【請求項７】
前記リソースブロックグループセットは，均等な間隔を有する複数のリソースブロックグループを有し，各リソースブロックグループは，１又は複数の連続したリソースブロックを有する，請求項１に記載の方法。
【請求項８】
前記リソースブロックグループセット内のリソースブロックグループは，Ｎリソースブロックグループづつの均等な間隔を有しており，各リソースブロックグループは，Ｎ個の連続したリソースブロックを有し，Ｎは正整数である，請求項１に記載の方法。
【請求項９】
移動体通信システムにおいてデータを送信する方法であって，
第１フィールド及び第２フィールドを構成するステップであって，前記第１フィールドはリソースブロックグループセットを示すために用いられ，前記第２フィールドはビットマップを含み，該ビットマップの各ビットは，前記リソースブロックグループセット内に対応するリソースブロックが割り当てられているかどうかを示すために用いられる，ステップと，
制御チャネルを介して前記第１フィールド及び前記第２フィールドを送信するステップと，
前記制御チャネルに対応するデータを送信するステップと，
を有する方法。
【請求項１０】
前記第１フィールドは，１又は複数のリソースブロックグループセットのうち一つを示すために用いられる，請求項９に記載の方法。
【請求項１１】
前記リソースブロックグループセットは，１又は複数のリソースブロックグループを含む，請求項９に記載の方法。
【請求項１２】
前記リソースブロックグループ又は各リソースブロックグループは，サブフレームに含まれるリソースブロックの総数に応じて，１又は複数の連続したリソースブロックを含む，請求項９に記載の方法。
【請求項１３】
リソースブロックグループセットの数は，前記リソースブロックグループ又は各リソースブロックグループ内のリソースブロックの数と同一である，請求項９に記載の方法。
【請求項１４】
リソースブロックグループセット内のリソースブロックの数は，リソースブロックグループの総数と同一である，請求項９に記載の方法。
【請求項１５】
前記リソースブロックグループセットは，均等な間隔を有する複数のリソースブロックグループを有し，各リソースブロックグループは，１又は複数の連続したリソースブロックを有する，請求項９に記載の方法。
【請求項１６】
前記リソースブロックグループセット内のリソースブロックグループは，Ｎリソースブロックグループづつの均等な間隔を有しており，各リソースブロックグループは，Ｎ個の連続したリソースブロックを有し，Ｎは正整数である，請求項９に記載の方法。
【請求項１７】
移動体通信システムにおいてデータを受信する装置であって，
制御チャネルを介して第１フィールド及び第２フィールドを受信する手段であって，前記第１フィールドはリソースブロックグループセットを示すために用いられ，前記第２フィールドはビットマップを含み，該ビットマップの各ビットは，前記リソースブロックグループセット内に対応するリソースブロックが割り当てられているかどうかを示すために用いられる，手段と，
前記第１フィールド及び前記第２フィールドをリソース割当のために解釈する手段と，
前記制御チャネルに対応するデータを受信する手段と，
を備える装置。
【請求項１８】
前記第１フィールドは，１又は複数のリソースブロックグループセットのうち一つを示すために用いられる，請求項１７に記載の装置。
【請求項１９】
前記リソースブロックグループセットは，１又は複数のリソースブロックグループを含む，請求項１７に記載の装置。
【請求項２０】
前記リソースブロックグループ又は各リソースブロックグループは，サブフレームに含まれるリソースブロックの総数に応じて，１又は複数の連続したリソースブロックを含む，請求項１７に記載の装置。
【請求項２１】
リソースブロックグループセットの数は，前記リソースブロックグループ又は各リソースブロックグループ内のリソースブロックの数と同一である，請求項１７に記載の装置。
【請求項２２】
リソースブロックグループセット内のリソースブロックの数は，リソースブロックグループの総数と同一である，請求項１７に記載の装置。
【請求項２３】
前記リソースブロックグループセットは，均等な間隔を有する複数のリソースブロックグループを有し，各リソースブロックグループは，１又は複数の連続したリソースブロックを有する，請求項１７に記載の装置。
【請求項２４】
前記リソースブロックグループセット内のリソースブロックグループは，Ｎリソースブロックグループづつの均等な間隔を有しており，各リソースブロックグループは，Ｎ個の連続したリソースブロックを有し，Ｎは正整数である，請求項１７に記載の装置。
【請求項２５】
移動体通信システムにおいてデータを送信する装置であって，
第１フィールド及び第２フィールドを構成する手段であって，前記第１フィールドはリソースブロックグループセットを示すために用いられ，前記第２フィールドはビットマップを含み，該ビットマップの各ビットは，前記リソースブロックグループセット内に対応するリソースブロックが割り当てられているかどうかを示すために用いられる，手段と，
制御チャネルを介して前記第１フィールド及び前記第２フィールドを送信する手段と，
前記制御チャネルに対応するデータを送信する手段と，
を備える装置。
【請求項２６】
前記第１フィールドは，１又は複数のリソースブロックグループセットのうち一つを示すために用いられる，請求項２５に記載の装置。
【請求項２７】
前記リソースブロックグループセットは，１又は複数のリソースブロックグループを含む，請求項２５に記載の装置。
【請求項２８】
前記リソースブロックグループ又は各リソースブロックグループは，サブフレームに含まれるリソースブロックの総数に応じて，１又は複数の連続したリソースブロックを含む，請求項２５に記載の装置。
【請求項２９】
リソースブロックグループセットの数は，前記リソースブロックグループ又は各リソースブロックグループ内のリソースブロックの数と同一である，請求項２５に記載の装置。
【請求項３０】
リソースブロックグループセット内のリソースブロックの数は，リソースブロックグループの総数と同一である，請求項２５に記載の装置。
【請求項３１】
前記リソースブロックグループセットは，均等な間隔を有する複数のリソースブロックグループを有し，各リソースブロックグループは，１又は複数の連続したリソースブロックを有する，請求項２５に記載の装置。
【請求項３２】
前記リソースブロックグループセット内のリソースブロックグループは，Ｎリソースブロックグループづつの均等な間隔を有しており，各リソースブロックグループは，Ｎ個の連続したリソースブロックを有し，Ｎは正整数である，請求項２５に記載の装置。